(57)【特許請求の範囲】
【請求項１】
表裏に正極および負極の電極面をそれぞれ有する複数の蓄電素子と、
前記複数の蓄電素子の前記電極面と電気的に接続される導電板と、
前記導電板と電気的に接続される配線モジュールと、を備えた蓄電モジュールであって、
前記複数の蓄電素子は、隣り合う蓄電素子の前記電極面が向かい合うようにして、並び方向に沿って並んでおり、
前記隣り合う蓄電素子の前記電極面の間に配された前記導電板によって前記隣り合う蓄電素子の前記電極面同士が電気的に接続されており、
前記隣り合う蓄電素子の間に前記配線モジュールが配されており、
前記導電板および前記配線モジュールは、前記並び方向から見た前記複数の蓄電素子の外形よりも内側に配されている蓄電モジュール。
【請求項２】
前記導電板のうち前記電極面と接触する導電板側接触面と、前記配線モジュールのうち前記電極面と接触する配線モジュール側接触面とは、面一に形成されている請求項１に記載の蓄電モジュール。
【請求項３】
前記配線モジュールは、絶縁性のハウジングと、前記ハウジングに収容された端子と、前記端子に接続された電線と、を備え、
前記端子は弾性変形可能な弾性接触部を有し、
前記導電板は、前記電極面と接触していない側縁に、前記端子の前記弾性接触部が弾性的に接触する端子接触面を有する請求項１または請求項２に記載の蓄電モジュール。
【請求項４】
前記導電板には、前記端子接触面が形成された側縁の近傍に、前記端子接触面に平行に延びる溝部が設けられており、
前記配線モジュールには、前記溝部に嵌入する嵌入部が設けられている請求項３に記載の蓄電モジュール。
【請求項５】
前記導電板と前記配線モジュールとが組み付けられた状態の前記ハウジング内で、前記端子は、前記弾性接触部が前記導電板の前記端子接触面と接触する接触位置と、前記弾性接触部が前記導電板の前記端子接触面と離れた待機位置と、の間を移動可能に配されており、
前記ハウジングは、前記端子を前記待機位置に係止する待機位置係止部と、前記端子を前記接触位置に係止する接触位置係止部を有する請求項３または請求項４に記載の蓄電モジュール。
【請求項６】
前記ハウジングおよび前記端子の一方には、前記ハウジングおよび前記端子の他方に突出するとともに、前記端子が前記接触位置よりも前記端子接触面に接近することを抑制する前止め部を有する請求項５に記載の蓄電モジュール。
【請求項７】
前記ハウジングには、前記端子に対応する位置に窓部が設けられており、
前記ハウジングには、前記窓部を塞ぐ端子カバーが、仮係止位置と、本係止位置と、の間を移動可能に取り付けられており、
前記端子カバーは、前記仮係止位置に保持された状態で前記端子を前記待機位置に保持する第１保持部と、前記本係止位置に保持された状態で前記端子を前記接触位置に保持する第２保持部と、を有する請求項５または請求項６に記載の蓄電モジュール。
【請求項８】
前記端子カバーは、ヒンジを介して一体に形成された蓋部を有し、
前記端子カバーが前記仮係止位置に配された状態では、前記蓋部は前記ハウジングから突出した状態になっており、
前記端子カバーが前記本係止位置に配された状態では、前記蓋部は前記ヒンジを軸に回動することにより前記窓部を塞ぐようになっており、
前記窓部が前記端子カバーおよび前記蓋部で塞がれた状態で、前記ハウジング、前記端子カバー、および前記蓋部が面一になっている請求項７に記載の蓄電モジュール。
【請求項９】
前記弾性接触部は、前記端子接触面に沿って延びるとともに前記端子接触面と交差する方向に弾性変形可能な弾性片と、前記弾性片の先端部寄りの位置に設けられて前記端子接触面に向かって突出する接点部を有し、
前記端子カバーは、前記端子カバーが前記本係止位置に配された状態で前記弾性片に接触して前記弾性片を前記端子接触面に向けて押圧する押圧部を有する請求項７または請求項８に記載の蓄電モジュール。
【請求項１０】
前記ハウジングは、前記電線が配索される配線溝を有し、
前記配線溝の底壁には、前記電線を係止する一対の電線係止部が突出している請求項３から請求項９のいずれか１項に記載の蓄電モジュール。
【発明の詳細な説明】
【技術分野】
【０００１】
本開示は、蓄電モジュールに関する。
【背景技術】
【０００２】
表裏に正極および負極の電極面を有する複数の蓄電素子を有する蓄電モジュールとして、特開２０１３−１７１６１７号公報に記載のものが知られている。この蓄電モジュールにおいては、隣り合う蓄電素子の電極面の間に導電性板材が配されている。導電性板材の側縁には、外部回路と接続するための外部端子が、外方に突出して設けられている。この外部端子は、コネクタ収容部内に配されている。コネクタ収容部には、電圧検知用端子を有するコネクタが収容可能になっている。コネクタ収容部は、蓄電素子の並ぶ方向から見て、蓄電素子の外形よりも外方に突出して形成されている。
【先行技術文献】
【特許文献】
【０００３】
【特許文献１】特開２０１３−１７１６１７号公報
【発明の概要】
【発明が解決しようとする課題】
【０００４】
上記の技術によれば、コネクタ収容部は蓄電素子の外形よりも外方に突出しているので、蓄電モジュールが全体として大型化してしまう。
【０００５】
本開示は上記のような事情に基づいて完成されたものであって、蓄電モジュールを小型化することを目的とする。
【課題を解決するための手段】
【０００６】
本開示は、表裏に正極および負極の電極面をそれぞれ有する複数の蓄電素子と、前記複数の蓄電素子の前記電極面と電気的に接続される導電板と、前記導電板と電気的に接続される配線モジュールと、を備えた蓄電モジュールであって、前記複数の蓄電素子は、隣り合う蓄電素子の前記電極面が向かい合うようにして、並び方向に沿って並んでおり、前記隣り合う蓄電素子の前記電極面の間に配された前記導電板によって前記隣り合う蓄電素子の前記電極面同士が電気的に接続されており、前記隣り合う蓄電素子の間に前記配線モジュールが配されており、前記導電板および前記配線モジュールは、前記並び方向から見た前記複数の蓄電素子の外形よりも内側に配されている。
【発明の効果】
【０００７】
本開示によれば、蓄電モジュールを小型化できる。
【図面の簡単な説明】
【０００８】
【図１】図１は、実施形態１にかかる蓄電モジュールを示す一部拡大側面図である。
【図２】図２は、２つの蓄電素子の間に配された導電板および配線モジュールを示す分解斜視図である。
【図３】図３は、図１８におけるＩＩＩ-ＩＩＩ線断面図である。
【図４】図４は、配線モジュールを示す斜視図である。
【図５】図５は、ロアハウジングに端子を組み付ける工程を示す斜視図である。
【図６】図６は、図１８におけるＶＩ−ＶＩ線断面図である。
【図７】図７は、端子カバーを示す斜視図である。
【図８】図８は、ロアハウジングに対して待機位置に保持された端子を示す一部拡大斜視図である。
【図９】図９は、図１１におけるＩＸ−ＩＸ線断面図である。
【図１０】図１０は、図７とは異なる視点から見た、端子カバーを示す斜視図である。
【図１１】図１１は、ハウジングに対して端子カバーが仮係止位置に保持された状態を示す一部拡大平面図である。
【図１２】図１２は、ロアハウジングに端子が組み付けられた状態を示す斜視図である。
【図１３】図１３は、端子に端子カバーが組み付けられた状態を示す斜視図である。
【図１４】図１４は、ロアハウジングにアッパーハウジングが組み付けられた状態であって、端子カバーが仮係止位置に保持された状態を示す斜視図である。
【図１５】図１５は、図１１におけるＸＶ-ＸＶ線断面図である。
【図１６】図１６は、図１１におけるＸＶＩ−ＸＶＩ線断面図である。
【図１７】図１７は、端子カバーが本係止位置に保持された状態を示す斜視図である。
【図１８】図１８は、配線モジュールを示す一部拡大平面図である。
【図１９】図１９は、図１８におけるＸＩＸ−ＸＩＸ線断面図である。
【図２０】図２０は、ロアハウジングに対して接触位置に保持された端子を示す一部拡大斜視図である。
【発明を実施するための形態】
【０００９】
［本開示の実施形態の説明］
最初に本開示の実施態様を列挙して説明する。
【００１０】
（１）本開示は、表裏に正極および負極の電極面をそれぞれ有する複数の蓄電素子と、前記複数の蓄電素子の前記電極面と電気的に接続される導電板と、前記導電板と電気的に接続される配線モジュールと、を備えた蓄電モジュールであって、前記複数の蓄電素子は、隣り合う蓄電素子の前記電極面が向かい合うようにして、並び方向に沿って並んでおり、前記隣り合う蓄電素子の前記電極面の間に配された前記導電板によって前記隣り合う蓄電素子の前記電極面同士が電気的に接続されており、前記隣り合う蓄電素子の間に前記配線モジュールが配されており、前記導電板および前記配線モジュールは、前記並び方向から見た前記複数の蓄電素子の外形よりも内側に配されている。
【００１１】
導電板および配線モジュールは、並び方向から見た複数の蓄電素子の外形よりも内側に配されているので、外部回路と接続するための端子を導電板の側縁から突出させる構造に比べて、蓄電モジュールを小型化できる。
【００１２】
（２）前記導電板のうち前記電極面と接触する導電板側接触面と、前記配線モジュールのうち前記電極面と接触する配線モジュール側接触面とは、面一に形成されていることが好ましい。
【００１３】
導電板側接触面と、配線モジュール側接触面とが面一に形成されているので、導電板と配線モジュールとの境界部分に段差が生じないようになっている。これにより、蓄電素子の電極面が段差によって変形する等の不具合が抑制される。
【００１４】
（３）前記配線モジュールは、絶縁性のハウジングと、前記ハウジングに収容された端子と、前記端子に接続された電線と、を備え、前記端子は弾性変形可能な弾性接触部を有し、前記導電板は、前記電極面と接触していない側縁に、前記端子の前記弾性接触部が弾性的に接触する端子接触面を有することが好ましい。
【００１５】
導電板の側縁と、配線モジュールの端子とが弾性的に接触することにより導電板と端子とが電気的に接続されるので、導電板の側縁から外部接続用の端子を突出させる構造に比べて、蓄電モジュールを小型化できる。
【００１６】
（４）前記導電板には、前記端子接触面が形成された側縁の近傍に、前記端子接触面に平行に延びる溝部が設けられており、前記配線モジュールには、前記溝部に嵌入する嵌入部が設けられていることが好ましい。
【００１７】
配線モジュールの嵌入部が、導電板の溝部に嵌入することにより、導電板と配線モジュールとが強固に組み付けられる。これにより、導電板と、配線モジュールに配された端子との電気的な接続信頼性を向上させることができる。
【００１８】
（５）前記導電板と前記配線モジュールとが組み付けられた状態の前記ハウジング内で、前記端子は、前記弾性接触部が前記導電板の前記端子接触面と接触する接触位置と、前記弾性接触部が前記導電板の前記端子接触面と離れた待機位置と、の間を移動可能に配されており、前記ハウジングは、前記端子を前記待機位置に係止する待機位置係止部と、前記端子を前記接触位置に係止する接触位置係止部を有することが好ましい。
【００１９】
端子が待機位置に配されている状態では、端子の弾性接触部と端子接触面とが離れているので、弾性接触部と端子接触面とが意図されない時期に接触することにより、弾性接触部が変形する等の不具合が生じることが抑制される。また、端子が接触位置に移動することにより、弾性接触部と端子接触面とを確実に電気的に接続させることができるので、導電板と端子との電気的な接続信頼性を向上させることができる。
【００２０】
（６）前記ハウジングおよび前記端子の一方には、前記ハウジングおよび前記端子の他方に突出するとともに、前記端子が前記接触位置よりも前記端子接触面に接近することを抑制する前止め部を有することが好ましい。
【００２１】
前止め部によって、端子が端子接触面に過度に接近することが抑制されるので、弾性接触部が過度撓みすることを抑制できる。これにより、導電板と端子との電気的な接続信頼性を向上させることができる。
【００２２】
（７）前記ハウジングには、前記端子に対応する位置に窓部が設けられており、前記ハウジングには、前記窓部を塞ぐ端子カバーが、仮係止位置と、本係止位置と、の間を移動可能に取り付けられており、前記端子カバーは、前記仮係止位置に保持された状態で前記端子を前記待機位置に保持する第１保持部と、前記本係止位置に保持された状態で前記端子を前記接触位置に保持する第２保持部と、を有することが好ましい。
【００２３】
端子カバーを仮係止位置から本係止位置に移動させることにより、作業者は、端子を直に触ることなく、端子を待機位置から接触位置に移動させることができる。これにより、蓄電モジュールを製造する際の安全性を向上させることができる。
【００２４】
（８）前記端子カバーは、ヒンジを介して一体に形成された蓋部を有し、前記端子カバーが前記仮係止位置に配された状態では、前記蓋部は前記ハウジングから突出した状態になっており、前記端子カバーが前記本係止位置に配された状態では、前記蓋部は前記ヒンジを軸に回動することにより前記窓部を塞ぐようになっており、前記窓部が前記端子カバーおよび前記蓋部で塞がれた状態で、前記ハウジング、前記端子カバー、および前記蓋部が面一になっていることが好ましい。
【００２５】
端子カバーが仮係止位置に配された状態では、蓋部がハウジングから突出しているので、この状態の配線モジュールを、蓄電素子に組み付けることができない。一方、端子カバーが本係止位置に配された状態では、端子カバーおよび蓋部はハウジングと面一になるので、この状態の配線モジュールと蓄電素子とを組み付けることができる。これにより、作業者が、誤って、端子カバーが仮係止位置に配された状態の配線モジュールを蓄電素子に組み付けることを抑制できる。
【００２６】
また、端子カバーが本係止位置に配された状態では、窓部が蓋部で塞がれているので、作業者が端子に触れることを抑制できる。
【００２７】
（９）前記弾性接触部は、前記端子接触面に沿って延びるとともに前記端子接触面と交差する方向に弾性変形可能な弾性片と、前記弾性片の先端部寄りの位置に設けられて前記端子接触面に向かって突出する接点部を有し、前記端子カバーは、前記端子カバーが前記本係止位置に配された状態で前記弾性片に接触して前記弾性片を前記端子接触面に向けて押圧する押圧部を有することが好ましい。
【００２８】
押圧部が弾性片を端子接触面に向けて押圧することにより、接点部を端子接触面に確実に接触させることができる。これにより端子と導電板との電気的な接続信頼性を向上させることができる。
【００２９】
（１０）前記ハウジングは、前記電線が配索される配線溝を有し、前記配線溝の底壁には、前記電線を係止する一対の電線係止部が突出していることが好ましい。
【００３０】
電線が一対の電線係止部に係止されることにより、電線に引張力が加えられた場合に、引張力が端子にまで伝達されることが抑制される。
【００３１】
［本開示の実施形態の詳細］
以下に、本開示の実施形態について説明する。本開示はこれらの例示に限定されるものではなく、特許請求の範囲によって示され、特許請求の範囲と均等の意味および範囲内での全ての変更が含まれることが意図される。
【００３２】
＜実施形態１＞
本開示の実施形態１について、図１から図２０を参照しつつ説明する。本実施形態にかかる蓄電モジュール１０は、例えば、電気自動車またはハイブリッド自動車等の車両（図示せず）を駆動するための電源として使用される。図１に示されるように、蓄電モジュール１０は、上下方向（並び方向の一例）に並べられた複数の蓄電素子１１と、隣り合う蓄電素子１１の間に配される金属製の導電板１２と、隣り合う蓄電素子１１の間に配されるとともに導電板１２と電気的に接続される配線モジュール１３と、を備える。以下の説明において、矢線Ｚで示す方向を上方とし、矢線Ｙで示す方向を前方とし、矢線Ｘで示す方向を左方として説明する。また、複数の同一部材については、一部の部材にのみ符号を付し、他の部材の符号を省略する場合がある。
【００３３】
［蓄電素子１１］
図１には、上下方向に並ぶ複数の蓄電素子１１のうち、４つの蓄電素子１１が示されている。図１に示された蓄電素子１１よりも上方および下方に並べられた蓄電素子１１は、省略されている。
【００３４】
図２に示されるように、蓄電素子１１は、上下方向に扁平な板状をなしている。蓄電素子１１は、上方から見て前後方向に延びる長方形状をなしている。蓄電素子１１は、蓄電素子１１の表裏（上面および下面）に正極および負極の電極面１４をそれぞれ有する。上下に隣り合う蓄電素子１１は、異なる極性の電極面１４が向かい合うように配置される。詳細には図示しないが、蓄電素子１１の側縁部は、全周にわたって、絶縁性の合成樹脂により覆われている。
【００３５】
［導電板１２］
図１および図２に示されるように、上下に隣り合う蓄電素子１１の間には、導電板１２が配されている。導電板１２は、導電性の金属板材を所定の形状に加工してなる。導電板１２を構成する金属としては、銅、銅合金、アルミニウム、アルミニウム合金等、任意の金属を選択できる。本実施形態においては、導電板１２はアルミニウム、またはアルミニウム合金が用いられる。
【００３６】
導電板１２は、上下方向に扁平な板状をなしており、上方から見て長方形状をなしている。上方から見た場合に、導電板１２の外形状は、蓄電素子１１の外形状よりも小さい。導電板１２の上面および下面は、導電板１２の上側および下側にそれぞれ配された蓄電素子１１の電極面１４と接触する、導電板側接触面１５とされる。
【００３７】
導電板１２の上面には、導電板１２の後端縁からやや前方の位置に、左右方向に延びる溝部１６が形成されている。溝部１６は上方に開口して形成されている。溝部１６の断面形状は、略Ｕ字形状をなしている。導電板１２の後端縁１２Ａの上下方向の高さ位置は、導電板１２の上面よりもやや低く形成されている。導電板１２の後壁の後面は、後述する端子１７の弾性接触部１８が接触する端子接触面１９とされる。
【００３８】
［配線モジュール１３］
図３に示されるように、配線モジュール１３は、絶縁性の合成樹脂からなるハウジング２０と、ハウジング２０内に収容された端子１７と、端子１７に接続された電線２１と、を備える。配線モジュール１３の上面および下面は、配線モジュール１３の上方および下方にそれぞれ配された蓄電素子１１の電極面１４と接触する、配線モジュール側接触面２２とされる。
【００３９】
図４に示されるように、ハウジング２０は、上下方向に扁平な板状をなしており、上方から見て長方形状をなしている。ハウジング２０は、ロアハウジング２３と、ロアハウジング２３の上側に取り付けられるアッパーハウジング２４と、を備える。
【００４０】
［ロアハウジング２３］
図５に示されるように、ロアハウジング２３は、後端部寄りの位置に左右方向に延びるとともに上方および右方に開口した配線溝２５と、左半分よりもやや小さな領域に前後方向に延びるとともに、上方および前方に開口した端子収容部２６と、を有する。配線溝２５の左端部と端子収容部２６の後端部とは連通している。このようにロアハウジング２３には、下方に窪んで形成された配線溝２５と、端子収容部２６とが、上方から見て略Ｌ字状に形成されている。
【００４１】
配線溝２５の底壁には、右端部寄りの位置に、左右方向に間隔を空けて並ぶ一対の電線係止部２７が上方に突出して形成されている。電線係止部２７は、上方から見て左右方向に細長い長円形状をなした柱状に形成されている。一対の電線係止部２７は、前後方向についてずれた位置に形成されている。一対の電線係止部２７の間に電線２１が挟持されることにより、電線２１に引張力が作用した場合に、この引張力が一対の電線係止部２７によって受けられるようになっている。電線２１は、配線溝２５の右端部から、ハウジング２０の外方に導出されている。
【００４２】
一対の電線係止部２７の左方には、配線溝２５の底壁から上方に突出する配線突部２８が形成されている。配線突部２８は、配線溝２５の後壁から前方に突出するとともに前端縁が丸められた形状をなしている。配線突部２８の前端縁と、配線溝２５の前壁との間には電線２１の直径よりも大きな寸法の隙間が設けられている。
【００４３】
配線溝２５には、左右方向の中央位置付近に、前壁から後方に突出する電線係合爪２９が形成されている。電線係合爪２９の後端部と、配線溝２５の後壁との間には、電線２１の直径よりも大きな寸法の隙間が設けられている。電線係合爪２９と、配線溝２５の底壁との間の空間に電線２１が配されるようになっている。
【００４４】
端子収容部２６のうち、前方に開口した部分は端子窓部３０とされる。端子収容部２６のうち、端子窓部３０の前端部から後方にやや下がった領域は、下方に窪んで形成されており、後述する端子１７の弾性接触部１８が前後方向に移動可能に形成されている。
【００４５】
端子収容部２６のうち端子窓部３０の後方には、左右方向に間隔を空けて並ぶ左案内溝３１と、右案内溝３２とが、前後方向に延びるとともに、下方に窪んで形成されている。左案内溝３１には、後述する端子１７の左案内板３３が挿入されるようになっており、右案内溝３２には、端子１７の右案内板３４が挿入されるようになっている。
【００４６】
左案内溝３１の右側壁には、左案内溝３１の前後方向の中央位置付近に、左方に突出する左側前止め部３５（前止め部の一例）が形成されている。右案内溝３２の左側壁には、右案内溝３２の前後方向の中央位置付近に、右方に突出する右側前止め部（図示せず）が形成されている。
【００４７】
ロアハウジング２３のうち、左案内溝３１と右案内溝３２との間には、下方に窪んで形成された待機位置係止部３７と、この待機位置係止部３７の前方に、下方に窪んで形成された接触位置係止部３８と、が形成されている。待機位置係止部３７の開口縁部、および接触位置係止部３８の開口縁部は、面取りされている。
【００４８】
ロアハウジング２３の前端部には、この前端部の上端縁から前方に延びるとともに下方に屈曲したロア側嵌入部３９が形成されている。ロア側嵌入部３９は、左右方向から見て下方に曲がった鉤状に形成されている。
【００４９】
［アッパーハウジング２４］
ロアハウジング２３に設けられた、端子収容部２６、および配線溝２５を塞ぐように、アッパーハウジング２４がロアハウジング２３に取り付けられる。アッパーハウジング２４の外形状は、上方から見て、端子収容部２６、および配線溝２５と対応しており、略Ｌ字形状をなしている（図４参照）。
【００５０】
アッパーハウジング２４の側縁部には、複数のロック部４０が、アッパーハウジング２４の外方に突出して形成されている。ロック部４０と、ロアハウジング２３のうちロック部４０に対応する位置に窪んで形成された複数のロック受け部４１とが、弾性的に係合することにより、アッパーハウジング２４とロアハウジング２３が一体に組み付けられるようになっている（図３参照）。
【００５１】
図３に示されるように、アッパーハウジング２４の前端部には、この前端部の上端縁から前方に延びるとともに下方に屈曲したアッパー側嵌入部４２が形成されている。アッパー側嵌入部４２は、左右方向から見て下方に曲がった鉤状に形成されている。
【００５２】
図４に示されるように、アッパーハウジング２４には、ロアハウジング２３に形成された一対の電線係止部２７に対応する位置に、一対の電線係止部２７の外形状と同じ、またはやや大きな一対の退避孔４３が貫通されている。アッパーハウジング２４とロアハウジング２３とが組み付けられた状態で、退避孔４３内に電線係止部２７が嵌入するようになっている。これにより、電線係止部２７とアッパーハウジング２４とが干渉することが抑制されるようになっている。また、アッパーハウジング２４とロアハウジング２３とが組み付けられた状態で、電線係止部２７の上面は、アッパーハウジング２４の上面と面一に形成されている。これにより、電線係止部２７の上端部がアッパーハウジング２４の上面よりも突出しないようになっている。
【００５３】
図４に示されるように、アッパーハウジング２４には、端子収容部２６に対応する位置に、上方から見て長方形状をなす窓部４４が貫通されている。窓部４４の開口縁の下面のうち、前側縁、左側縁、および右側縁には、それぞれ、上方に凹んだ前フランジ収容部４５、左フランジ収容部（図示せず）、および右フランジ収容部（図示せず）が形成されている。図６に示されるように、窓部４４の開口縁の下面のうち後側縁には、蓋ロック受け部４８が上方に凹んで形成されている。
【００５４】
［端子カバー４９］
図４に示されるように、アッパーハウジング２４の窓部４４には、端子カバー４９が、前後方向に移動可能に取り付けられている。端子カバー４９は、絶縁性の合成樹脂材を射出成型してなる。
【００５５】
図７に示されるように、端子カバー４９は、上方から見て、アッパーハウジング２４の窓部４４よりもやや大きな長方形状をなしている。端子カバー４９の前端縁には前フランジ５０が前方に突出して形成されており、左側縁には左フランジ５１が左方に突出して形成されており、右側縁に右フランジ５２が右方に突出して形成されている。前フランジ５０、左フランジ５１、および右フランジ５２は、端子カバー４９の上面よりもやや下方に凹んで形成されている。端子カバー４９がアッパーハウジング２４の窓部４４に取り付けられた状態で、前フランジ５０は前フランジ収容部４５内に収容され、左フランジ５１は左フランジ収容部内に収容され、右フランジ５２は右フランジ収容部内に収容されるようになっている。
【００５６】
図７に示されるように、端子カバー４９には、端子カバー４９の後端縁からやや前方の位置に、左右方向に延びるヒンジ５３が、端子カバー４９と一体に形成されている。ヒンジ５３の肉厚は、端子カバー４９のうちヒンジ５３と異なる部分の肉厚よりも薄く形成されている。端子カバー４９のうちヒンジ５３よりも後方の部分は、蓋部５４とされる。蓋部５４は、ヒンジ５３を軸として回動可能になっている。
【００５７】
図７に示されるように、蓋部５４の後端縁には、左右方向に間隔を空けて、２つの蓋ロック部５５が後方に突出して形成されている。端子カバー４９がアッパーハウジング２４に取り付けられ、かつ、蓋部５４がヒンジ５３を中心にして回動することにより、アッパーハウジング２４の窓部４４を塞いだ状態で、蓋ロック部５５が蓋ロック受け部４８内に収容されるようになっている。これにより、蓋部５４が閉じられた状態で保持されるようになっている。
【００５８】
［端子１７］
図５に示されるように、ロアハウジング２３の配線溝２５に配索された電線２１の一方の端部には、端子１７が接続されている。電線２１は、導電性の金属からなる芯線（図示せず）と、芯線の外周を覆う絶縁性の合成樹脂からなる絶縁被覆５７と、を有する。電線２１の端部において絶縁被覆５７が皮剥ぎされることにより、芯線が露出している。電線２１の他方の端部は、図示しないＥＣＵ（Ｅｌｅｃｔｒｏｎｉｃ  Ｃｏｎｔｒｏｌ  Ｕｎｉｔ）に接続される。
【００５９】
芯線を構成する金属は、銅、銅合金、アルミニウム、またはアルミニウム合金等、任意の金属を選択できる。芯線は、複数の金属細線が撚り合わされた撚り線でもよく、また、１つの金属棒材からなる、いわゆる単芯線でもよい。本実施形態にかかる芯線は撚り線とされる。
【００６０】
図８に示されるように、端子１７は、導電性の金属板材が所定の形状にプレス加工されてなる。端子１７は、電線２１の絶縁被覆５７の外周に圧着するインシュレーションバレル５８と、インシュレーションバレル５８の前方に形成されて、絶縁被覆５７の端部から露出した芯線の外周に圧着するワイヤーバレル５９と、ワイヤーバレル５９から前方に延びる係合板部６０と、係合板部６０の前端縁から前方に延びる連結部６１と、連結部６１の前端部に形成された弾性接触部１８と、を有する。
【００６１】
係合板部６０は、上板６２と、上板６２の左側縁から下方に延びる左案内板３３と、上板６２の右側縁から下方に延びる右案内板３４と、を有する。
【００６２】
図８に示されるように、上板６２には、左右方向の中央位置付近に、前後方向に延びるＵ字溝６３が形成されている。このＵ字溝６３によって、上板６２には弾性係合片６４が形成されている。弾性係合片６４は、上板６２の前端寄りの位置から後方に延びて形成されている。弾性係合片６４は、上方から見て前後方向に細長く延びる長方形状をなしている。弾性係合片６４は、上下方向に弾性変形可能に形成されている。弾性係合片６４の後端部寄りの位置には、下方に突出する係合凸部６５が形成されている。係合凸部６５が、ロアハウジング２３に形成された待機位置係止部３７内に嵌入することにより、端子１７が待機位置に保持されるようになっており、また、係合凸部６５が、接続位置保持部内に嵌入することにより、端子１７が接続位置に保持されるようになっている。
【００６３】
係合板部６０の左端部寄りの位置には、上板６２の左端部から左案内板３３の上端部にかけて開口した左係合孔６６が形成されている。また、係合板部６０の右端部寄りの位置には、上板６２の右端部から右案内板３４の上端部にかけて開口した右係合孔６７が形成されている。
【００６４】
上板６２の前端縁には、左右方向の中央位置付近から前方に延びる連結部６１が形成されている。連結部６１は上方から見て長方形状をなしている。連結部６１の左右方向の幅寸法は、上板６２の左右方向の幅寸法の、略三分の一に設定されている。
【００６５】
連結部６１の前端縁に形成された弾性接触部１８は、連結部６１の前端縁から左方に延びる左弾性片６８と、連結部６１の前端縁から右方に延びる右弾性片６９と、を有する。左弾性片６８と、右弾性片６９とは左右対称に形成されている。
【００６６】
左弾性片６８は、板面が前後方向を向く状態で形成されており、前後方向に弾性変形可能になっている。左弾性片６８の左端部寄りの位置には、前方に突出するように湾曲した左接点部７０が形成されている。
【００６７】
右弾性片６９は、板面が前後方向を向く状態で形成されており、前後方向に弾性変形可能になっている。右弾性片６９の右端部寄りの位置には、前方に突出するように湾曲した右接点部７１が形成されている。
【００６８】
左接点部７０、および右接点部７１が、導電板１２の端子接触面１９に後方から弾性的に接触することにより、導電板１２と端子１７とが電気的に接続される。これにより、蓄電素子１１の電極面１４の電圧が、導電板１２を介して端子１７によって検知されるようになっている。
【００６９】
［端子１７とハウジング２０との係合構造］
図５の矢線Ｕで示されるように、端子１７は、左案内板３３および右案内板３４を下方に向けた姿勢で、ロアハウジング２３に上方から組み付けられる。左案内板３３が左案内溝３１内に収容され、右案内板３４が右案内溝３２内に収容されるようになっている。このとき、左案内板３３の左係合孔６６内には左案内溝３１の左側前止め部３５が嵌入し、右案内板３４の右係合孔６７内には右案内溝３２の右側前止め部が嵌入するようになっている。
【００７０】
図９に示されるように、端子１７の上板６２に形成された弾性係合片６４の係合凸部６５は、ロアハウジング２３の待機位置係止部３７内に嵌入するようになっている。これにより、端子１７が待機位置係止部３７に保持されるようになっている。
【００７１】
図１０に示されるように、端子カバー４９の下面には、係合板部６０の上板６２の前縁部に前方から当接する２つの第１保持部７２が下方に突出して形成されている。２つの第１保持部７２は左右方向に間隔を空けて形成されている。２つの第１保持部７２の間隔は、連結部６１の左右方向の幅寸法よりも広く形成されている。これにより、２つの第１保持部７２の間に連結部６１が位置するようになっている（図１１参照）。
【００７２】
図１０に示されるように、端子カバー４９の下面には、係合板部６０の上板６２に形成された右係合孔６７、および左係合孔６６の前端縁のそれぞれに、後方から当接する２つの第２保持部７３が下方に突出して形成されている。各第２保持部７３は、上板６２に形成された左係合孔６６、および右係合孔６７の内部に、それぞれ位置するようになっている（図１１参照）。
【００７３】
図１０に示されるように、端子カバー４９の下面には、その前端縁に、前後方向に延びるとともに下方に突出する左押圧部７４、および右押圧部７５が、左右方向に間隔を空けて形成されている。左押圧部７４と右押圧部７５の左右方向の間隔は、連結部６１の左右方向の間隔と同じ、またはやや大きく設定されている。これにより、左押圧部７４と右押圧部７５の間に連結部６１が位置するようになっている（図１１参照）。
【００７４】
図１０に示されるように、左押圧部７４の後端部には、左方に延びる左補強部７６が、端子カバー４９の下面から下方に突出して形成されている。右押圧部７５の後端部には、右方に延びる右補強部７７が、端子カバー４９の下面から下方に突出して形成されている。
【００７５】
［本実施形態の組み付け工程］
続いて、本実施形態にかかる蓄電モジュール１０の組み付け工程の一例について説明する。蓄電モジュール１０の組み付け工程は以下の記載に限定されない。
【００７６】
電線２１の端部において絶縁被覆５７が皮剥ぎされることにより、芯線が絶縁被覆５７の端部から露出する。
【００７７】
金属板材が所定の形状にプレス加工されることにより端子１７が形成される。インシュレーションバレル５８が絶縁被覆５７の外周に圧着され、ワイヤーバレル５９が芯線の外周に圧着される。これにより、電線２１と端子１７とが電気的に接続される。
【００７８】
絶縁性の合成樹脂が射出成型されることにより、ロアハウジング２３、アッパーハウジング２４、および端子カバー４９が形成される。図５に示されるように、ロアハウジング２３の端子収容部２６に端子１７が上方（矢線Ｕで示される方向）から配置されるとともに、配線溝２５内に電線２１が上方から配設される。
【００７９】
配線溝２５内において、電線２１が、電線係合爪２９の下方に配置される。これにより、電線２１が配線溝２５内において上方へ抜け止め状態で保持される。さらに、電線２１が、一対の電線係止部２７の間に挟みこまれる。これにより、電線２１が配線溝２５内において右方へ抜け止め状態で保持される。
【００８０】
図１２に示されるように、端子１７の左案内板３３がロアハウジング２３の左案内溝３１に上方から挿入され、端子１７の右案内板３４がロアハウジング２３の右案内溝３２に上方から挿入される。左案内板３３の下端縁が左案内溝３１の左側前止め部３５に上方から当接し、右案内板３４の下端縁が右案内溝３２の右側前止め部に上方から当接する。これにより、左案内板３３と右案内板３４とが、左右方向について拡開変形する。
【００８１】
さらに、端子１７が下方に押圧されると、左案内板３３、および右案内板３４が復帰変形することにより、左係合孔６６内に左側前止め部３５が収容され、右係合孔６７内に右側前止め部が収容される。
【００８２】
端子１７の係合凸部６５が、ロアハウジング２３の待機位置係止部３７内に嵌入されることにより、端子１７がロアハウジング２３に対して、待機位置に保持される。
【００８３】
図１３に示されるように、端子１７に、上方から端子カバー４９が組み付けられる。端子カバー４９の下面に形成された左押圧部７４と右押圧部７５の間、および２つの第１保持部７２の間に、連結部６１が位置するようにして、端子カバー４９が端子１７に組み付けられる。このとき、端子カバー４９の２つの第２保持部７３は、それぞれ、端子１７の左係合孔６６、および右係合孔６７の内部に、それぞれ位置するようになっている。左補強部７６と右補強部７７が端子窓部３０の後端部に前方から当接することにより、端子１７が後方に移動することが抑制されるようになっている（図１１参照）。
【００８４】
図１４に示されるように、アッパーハウジング２４が、ロアハウジング２３に対して上方から組み付けられる。アッパーハウジング２４に形成されたロック部４０と、ロアハウジング２３に形成されたロック受け部４１とが弾性的に係止することにより、アッパーハウジング２４とロアハウジング２３とが一体に組み付けられる。
【００８５】
図９に示されるように、アッパーハウジング２４の窓部４４内に端子カバー４９が位置するようになっている。また、端子カバー４９の前フランジ５０、左フランジ５１、および右フランジ５２は、それぞれ、窓部４４の前フランジ収容部４５、左フランジ収容部、および右フランジ収容部に収容される。これにより、端子カバー４９が、アッパーハウジング２４によって上方へ抜け止め状態で保持されるようになっている。ロアハウジング２３に対して待機位置に保持された状態の端子１７に取り付けられた端子カバー４９は、アッパーハウジング２４に対して仮係止位置に保持された状態となっている。
【００８６】
図９に示されるように、アッパーハウジング２４に対して端子カバー４９が仮係止位置の保持されている状態においては、弾性接触部１８は、ロアハウジング２３の前端縁よりも後方に位置するようになっている。詳細には、左接点部７０の前端部、および右接点部７１の前端部は、ロアハウジング２３の前端縁よりも後方に位置している。これにより、左接点部７０、および右接点部７１に異物が接触して弾性接触部１８が変形する等の不具合が発生することを抑制できる。
【００８７】
アッパーハウジング２４に対して端子カバー４９が仮係止位置の保持されている状態においては、図１５に示されるように、第１保持部７２は、上板６２の前端縁に前方から当接している。また、図１６に示されるように、第２保持部７３は、上板６２のうち左係合孔６６および右係合孔６７の前側の孔縁部に後方から当接している。左側前止め部３５は左係合孔６６の内部に位置し、右側前止め部は右係合孔６７の内部に位置している。
【００８８】
アッパーハウジング２４に対して、端子カバー４９が仮係止位置に保持されている状態においては、ヒンジ５３を軸にして蓋部５４を回動させても、蓋部５４の後端縁が窓部４４の後側の開口縁部に当接することによって、アッパーハウジング２４の窓部４４が塞がれないようになっている。
【００８９】
図９に示されるように、導電板１２の溝部１６内に、配線モジュール１３の、ロア側嵌入部３９、およびアッパー側嵌入部４２が上方から嵌入されることにより、導電板１２と配線モジュール１３とが組み付けられる。溝部１６内に、ロア側嵌入部３９、およびアッパー側嵌入部４２が嵌入した状態で、ロア側嵌入部３９、およびアッパー側嵌入部４２の下端部は、溝部１６の下面から離れた状態になっている。
【００９０】
ロアハウジング２３に対して仮係止位置に保持された状態の端子カバー４９が前方に押される。すると、端子カバー４９の第２保持部７３によって、上板６２に形成された左係合孔６６および右係合孔６７の前側の開口縁が、後方から押される。すると、端子１７が前方に移動する。このとき、係合凸部６５が待機位置係止部３７の開口縁に乗り上げることにより、弾性係合片６４が上方に撓み変形する。
【００９１】
さらに端子カバー４９が前方に押されると、係合凸部６５が接触位置係止部３８内に嵌入し、弾性係合片６４が復帰変形する。これにより、端子１７は、ロアハウジング２３に対して、接触位置に保持される。また、端子カバー４９は、ロアハウジング２３に対して本係止位置に移動される（図１７参照）。
【００９２】
端子カバー４９が、ロアハウジング２３に対して、仮係止位置から本係止位置にまで移動されると、端子カバー４９の下面に形成された左押圧部７４が左弾性片６８の後面に接触して前方へと押圧するとともに、右押圧部７５が右弾性片６９の後面に接触して前方へと押圧する。端子カバー４９がロアハウジング２３に対して本係止位置にまで移動すると、端子１７の左接点部７０と右接点部７１が、導電板１２の端子接触面１９に後方から接触する。すると、左弾性片６８および右弾性片６９が弾性変形する。これにより、左弾性片６８において発生した弾発力によって左接点部７０が端子接触面１９に押圧されるとともに、右弾性片６９において発生した弾発力によって右接点部７１が端子接触面１９に押圧される。さらに、左押圧部７４が左弾性片６８を前方に押圧するとともに、右押圧部７５が右弾性片６９を前方に押圧するので、左接点部７０および右接点部７１は、端子接触面１９に確実に接触するようになっている。これにより、導電板１２と端子１７とが電気的に接続される（図１８参照）。
【００９３】
図１９および図２０に示されるように、端子１７がロアハウジング２３に対して接触位置に保持された状態では、左側前止め部３５は左案内板３３の左係合孔６６内に位置し、左係合孔６６の後縁部に前方から当接する。同様に、右前止め部は右案内板３４の右係合孔６７内に位置し、右係合孔６７の後縁部に前方から当接する。これにより、端子１７が接触位置よりも前方に移動することが抑制されるようになっている。
【００９４】
端子カバー４９がロアハウジング２３に対して本係止位置に移動された後、蓋部５４がヒンジ５３を軸にして回動される。これにより、蓋部５４によって、アッパーハウジング２４の窓部４４が塞がれる。蓋部５４の後端部に形成された蓋ロック部５５が、アッパーハウジング２４の窓部４４の後端縁に形成された蓋ロック受け部４８と係止することにより、アッパーハウジング２４の窓部４４が蓋部５４によって塞がれた状態が保持されるようになっている。この状態で、配線モジュール１３の上面は面一になっている（図１９参照）。
【００９５】
さらに、溝部１６内に、ロア側嵌入部３９、およびアッパー側嵌入部４２が嵌入した状態で、導電板１２の上面および下面に形成された導電板側接触面１５と、配線モジュール１３の上面および下面に形成された配線モジュール側接触面２２とは面一になっている。
【００９６】
複数の蓄電素子１１を、隣り合う蓄電素子１１の電極面１４の極性が異なるようにして配置し、その間に、導電板１２と配線モジュール１３とが組み付けられた状態の部材を配置する。このとき、複数の蓄電素子１１の積層方向（上下方向）から見て、蓄電素子１１の外形状から、導電板１２と配線モジュール１３とが組み付けられた状態の部材が突出しないように配置される。これにより、複数の蓄電素子１１が、導電板１２を介して電気的に接続される。また、蓄電素子１１の電圧が、導電板１２を介して端子１７によって検知される。複数の蓄電素子１１は、図示しない加圧部材によって、所定の圧力で挟持される。これにより蓄電モジュール１０が完成する（図１参照）。
【００９７】
なお、メンテナンス等により、端子１７と導電板１２との電気的な接続を切断する際には以下のようにする。加圧部材が取り外され、複数の蓄電素子１１の間から、導電板１２と配線モジュール１３とが組み付けられた部材が取り出される。端子カバー４９の蓋ロック部５５と、ロアハウジング２３の蓋ロック受け部４８との係止構造が解除され、蓋部５４がヒンジ５３を軸にして回動される。これにより、端子カバー４９は、本係止位置から仮係止位置へと、後方に移動可能になる。この状態で端子カバー４９が後方に押圧される。すると、端子カバー４９の第１保持部７２が、端子１７の上板６２の前縁部と接触して、端子１７を後方に押圧する。これにより、係合凸部６５が接触位置係止部３８から後方に移動し、待機位置係止部３７内に嵌入する。これにより、端子１７が待機位置へと移動し、弾性接触部１８が導電板１２の端子接触面１９から離れる。この結果、導電板１２と、端子１７との電気的な接続が切断される。
【００９８】
［本実施形態の作用効果］
続いて、本実施形態の作用効果について説明する。本実施形態は、表裏に正極および負極の電極面１４をそれぞれ有する複数の蓄電素子１１と、複数の蓄電素子１１の電極面１４と電気的に接続される導電板１２と、導電板１２と電気的に接続される配線モジュール１３と、を備えた蓄電モジュール１０であって、複数の蓄電素子１１は、隣り合う蓄電素子１１の電極面１４が向かい合うようにして、上下方向に沿って並んでおり、隣り合う蓄電素子１１の電極面１４の間に配された導電板１２によって隣り合う蓄電素子１１の電極面１４同士が電気的に接続されており、隣り合う蓄電素子１１の間に配線モジュール１３が配されており、導電板１２および配線モジュール１３は、上下方向から見た複数の蓄電素子１１の外形よりも内側に配されている。
【００９９】
導電板１２および配線モジュール１３は、上下方向から見た複数の蓄電素子１１の外形よりも内側に配されているので、外部回路と接続するための端子を導電板１２の側縁からを突出させる構造に比べて、蓄電モジュール１０を小型化できる。
【０１００】
また、本実施形態によれば、導電板１２のうち電極面１４と接触する導電板側接触面１５と、配線モジュール１３のうち電極面１４と接触する配線モジュール側接触面２２とは、面一に形成されている。
【０１０１】
導電板側接触面１５と、配線モジュール側接触面２２とが面一に形成されているので、導電板１２と配線モジュール１３との境界部分に段差が生じないようになっている。これにより、蓄電素子１１の電極面１４が段差によって変形する等の不具合が抑制される。
【０１０２】
また、本実施形態によれば、配線モジュール１３は、絶縁性のハウジング２０と、ハウジング２０に収容された端子１７と、端子１７に接続された電線２１と、を備え、端子１７は弾性変形可能な弾性接触部１８を有し、導電板１２は、電極面１４と接触していない側縁に、端子１７の弾性接触部１８が弾性的に接触する端子接触面１９を有する。
【０１０３】
導電板１２の端子接触面１９と、配線モジュール１３の端子１７とが弾性的に接触することにより導電板１２と端子１７とが電気的に接続されるので、導電板１２の側縁から外部接続用の端子１７を突出させる構造に比べて、蓄電モジュール１０を小型化できる。
【０１０４】
また、本実施形態によれば、導電板１２には、端子接触面１９が形成された側縁の近傍に、端子接触面１９に平行に延びる溝部１６が設けられており、配線モジュール１３には、溝部１６に嵌入するロア側嵌入部３９およびアッパー側嵌入部４２が設けられている。
【０１０５】
配線モジュール１３のロア側嵌入部３９およびアッパー側嵌入部４２が、導電板１２の溝部１６に嵌入することにより、導電板１２と配線モジュール１３とが強固に組み付けられる。これにより、導電板１２と、配線モジュール１３に配された端子１７との電気的な接続信頼性を向上させることができる。
【０１０６】
また、本実施形態によれば、導電板１２と配線モジュール１３とが組み付けられた状態のハウジング２０内で、端子１７は、弾性接触部１８が導電板１２の端子接触面１９と接触する接触位置と、弾性接触部１８が導電板１２の端子接触面１９と離れた待機位置と、の間を移動可能に配されており、ハウジング２０は、端子１７を待機位置に係止する待機位置係止部３７と、端子１７を接触位置に係止する接触位置係止部３８を有する。
【０１０７】
端子１７が待機位置に配されている状態では、端子１７の弾性接触部１８と端子接触面１９とが離れているので、弾性接触部１８と端子接触面１９とが意図されない時期に接触することにより、弾性接触部１８が変形する等の不具合が生じることが抑制される。また、端子１７が接触位置に移動することにより、弾性接触部１８と端子接触面１９とを確実に電気的に接続させることができるので、導電板１２と端子１７との電気的な接続信頼性を向上させることができる。
【０１０８】
また、本実施形態によれば、ハウジング２０および端子１７の一方には、ハウジング２０および端子１７の他方に突出するとともに、端子１７が接触位置よりも端子接触面１９に接近することを抑制する左側前止め部３５、および右側前止め部を有する。
【０１０９】
左側前止め部３５、および右側前止め部によって、端子１７が端子接触面１９に過度に接近することが抑制されるので、弾性接触部１８が過度撓みすることを抑制できる。これにより、導電板１２と端子１７との電気的な接続信頼性を向上させることができる。
【０１１０】
また、本実施形態によれば、ハウジング２０には、端子１７に対応する位置に窓部４４が設けられており、ハウジング２０には、窓部４４を塞ぐ端子カバー４９が、仮係止位置と、本係止位置と、の間を移動可能に取り付けられており、端子カバー４９は、仮係止位置に保持された状態で端子１７を待機位置に保持する第１保持部７２と、本係止位置に保持された状態で端子１７を接触位置に保持する第２保持部７３と、を有する。
【０１１１】
端子カバー４９を仮係止位置から本係止位置に移動させることにより、作業者は、端子１７を直に触ることなく、端子１７を待機位置から接触位置に移動させることができる。これにより、蓄電モジュール１０を製造する際の安全性を向上させることができる。
【０１１２】
また、本実施形態によれば、端子カバー４９は、ヒンジ５３を介して一体に形成された蓋部５４を有し、端子カバー４９が仮係止位置に配された状態では、蓋部５４はハウジング２０から突出した状態になっており、端子カバー４９が本係止位置に配された状態では、蓋部５４はヒンジ５３を軸に回動することにより窓部４４を塞ぐようになっており、窓部４４が端子カバー４９および蓋部５４で塞がれた状態で、ハウジング２０、カバー、および蓋部５４が面一になっている。
【０１１３】
端子カバー４９が仮係止位置に配された状態では、蓋部５４が閉じないようになっている。このため、蓋部５４がハウジング２０から突出するので、この状態の配線モジュール１３を、蓄電素子１１に組み付けることができない。一方、端子カバー４９が本係止位置に配された状態では、端子カバー４９および蓋部５４はハウジング２０と面一になるので、この状態の配線モジュール１３と蓄電素子１１とを組み付けることができる。これにより、作業者が、誤って、端子カバー４９が仮係止位置に配された状態の配線モジュール１３を蓄電素子１１に組み付けることを抑制できる。
【０１１４】
また、端子カバー４９が本係止位置に配された状態では、窓部４４が蓋部５４で塞がれているので、作業者が端子１７に触れることを抑制できる。
【０１１５】
また、本実施形態によれば、弾性接触部１８は、端子接触面１９に沿って延びるとともに端子接触面１９と交差する方向に弾性変形可能な左弾性片６８および右弾性片６９と、左弾性片６８および右弾性片６９の先端部寄りの位置にそれぞれ設けられて端子接触面１９に向かって突出する左接点部７０および右接点部７１を有し、カバーは、カバーが本係止位置に配された状態で左弾性片６８および右弾性に接触して弾性片を端子接触面１９に向けて押圧する左押圧部７４および右押圧部７５を有する。
【０１１６】
左押圧部７４および右押圧部７５が、左弾性片６８および右弾性片６９を端子接触面１９に向けて押圧することにより、左接点部７０および右接点部７１を端子接触面１９に確実に接触させることができる。これにより端子１７と導電板１２との電気的な接続信頼性を向上させることができる。
【０１１７】
また、本実施形態によれば、ハウジング２０は、電線２１が配索される配線溝２５を有し、配線溝２５の底壁には、電線２１を係止する一対の電線係止部２７が突出している。
【０１１８】
電線２１が一対の電線係止部２７に係止されることにより、電線２１に引張力が加えられた場合に、引張力が端子１７にまで伝達されることが抑制される。
【０１１９】
＜他の実施形態＞
（１）蓄電モジュール１０に含まれる蓄電素子１１の個数は限定されず、２つ、３つ、または５つ以上であってもよい。
【０１２０】
（２）本実施形態においては、配線モジュール１３は導電板１２の後方に配される構成としたが、これに限られず、配線モジュール１３は、導電板１２の前方に配される構成としてもよいし、導電板１２の左方または右方に配される構成としてもよく、導電板１２に対して任意の位置に配することができる。
【０１２１】
（３）一対の電線係止部２７は省略してもよい。
【０１２２】
（４）本実施形態においては、端子１７の弾性接触部１８が、導電板１２の端子接触面１９に弾性的に接触することによって、端子１７と導電板１２とが電気的に接続される構成としたが、これに限られず、端子１７と導電板１２とは、はんだ付け、ろう付け等のろう接や、超音波溶接、レーザー溶接、アーク溶接、抵抗溶接等の溶接や、ネジ止め、ボルト締め、リベット締め等、任意の手法により電気的に接続することができる。
【０１２３】
（５）蓄電素子１１の並び方向は、前後方向でも、左右方向でもよく任意の方向とすることができる。
【０１２４】
（６）蓄電素子１１は、リチウムイオン二次電池、ニッケル水素二次電池等の二次電池でもよく、また、キャパシタでもよい。
【０１２５】
（７）本実施形態においては、端子１７の弾性接触部１８には、左弾性片６８および右弾性片６９を有する構成としたが、弾性接触部１８は、１つの弾性片を有する構成としてもよく、また、３つ以上の弾性片を有する構成としてもよい。
【符号の説明】
【０１２６】
１０：  蓄電モジュール
１１：  蓄電素子
１２：  導電板
１２Ａ：  後端縁
１３：  配線モジュール
１４：  電極面
１５：  導電板側接触面
１６：  溝部
１７：  端子
１８：  弾性接触部
１９：  端子接触面
２０：  ハウジング
２１：  電線
２２：  配線モジュール側接触面
２３：  ロアハウジング
２４：  アッパーハウジング
２５：  配線溝
２６：  端子収容部
２７：  電線係止部
２８：  配線突部
２９：  電線係合爪
３０：  端子窓部
３１：  左案内溝
３２：  右案内溝
３３：  左案内板
３４：  右案内板
３５：  左側前止め部
３７：  待機位置係止部
３８：  接触位置係止部
３９：  ロア側嵌入部
４０：  ロック部
４１：  ロック受け部
４２：  アッパー側嵌入部
４３：  退避孔
４４：  窓部
４５：  前フランジ収容部
４８：  蓋ロック受け部
４９：  端子カバー
５０：  前フランジ
５１：  左フランジ
５２：  右フランジ
５３：  ヒンジ
５４：  蓋部
５５：  蓋ロック部
５７：  絶縁被覆
５８：  インシュレーションバレル
５９：  ワイヤーバレル
６０：  係合板部
６１：  連結部
６２：  上板
６３：  Ｕ字溝
６４：  弾性係合片
６５：  係合凸部
６６：  左係合孔
６７：  右係合孔
６８：  左弾性片
６９：  右弾性片
７０：  左接点部
７１：  右接点部
７２：  第１保持部
７３：  第２保持部
７４：  左押圧部
７５：  右押圧部
７６：  左補強部
７７：  右補強部
【図１】
0006937350.tif 000002
【図２】
0006937350.tif 000003
【図３】
0006937350.tif 000004
【図４】
0006937350.tif 000005
【図５】
0006937350.tif 000006
【図６】
0006937350.tif 000007
【図７】
0006937350.tif 000008
【図８】
0006937350.tif 000009
【図９】
0006937350.tif 000010
【図１０】
0006937350.tif 000011
【図１１】
0006937350.tif 000012
【図１２】
0006937350.tif 000013
【図１３】
0006937350.tif 000014
【図１４】
0006937350.tif 000015
【図１５】
0006937350.tif 000016
【図１６】
0006937350.tif 000017
【図１７】
0006937350.tif 000018
【図１８】
0006937350.tif 000019
【図１９】
0006937350.tif 000020
【図２０】
0006937350.tif 000021